(57)【要約】【課題】リンキング領域に記録される情報の誤り訂正を実施することが可能であり、また、リンキング領域とユーザデータ領域が明確に区別されている光ディスクを得ることを目的とする。【解決手段】保存対象情報１１の分割情報１２ａ，１２ｂを記録しているリンキング領域２ａ，２ｂと異なる他のリンキング領域２ｃ，２ｄに、その分割情報１２ａ，１２ｂの誤り訂正符号１２ｃ，１２ｄを記録する。これにより、リンキング領域に記録される情報の誤り訂正を実施することができる。【選択図】        図１
2004342199.tif 000002
【特許請求の範囲】
【請求項１】
分割されたユーザデータをそれぞれ記録する複数のユーザデータ領域と、上記複数のユーザデータ領域の間にそれぞれ配置され、分割された保存対象情報をそれぞれ記録する複数のリンキング領域とを備えた光ディスクにおいて、上記複数のリンキング領域と異なる他のリンキング領域に、その分割された保存対象情報の誤り訂正符号がそれぞれ記録されていることを特徴とする光ディスク。
【請求項２】
リンキング領域に記録される保存対象情報の分割情報が複数の小情報と、その小情報の誤り訂正符号とから構成されていることを特徴とする請求項１記載の光ディスク。
【請求項３】
リンキング領域に記録される保存対象情報の分割情報あるいは誤り訂正符号には、スクランブルが施されていることを特徴とする請求項１または請求項２記載の光ディスク。
【請求項４】
リンキング領域に記録される保存対象情報の分割情報あるいは誤り訂正符号にかけるスクランブルデータが、ユーザデータ領域に記録されるデータに基づいて生成されていることを特徴とする請求項３記載の光ディスク。
【請求項５】
保存対象情報の分割情報と誤り訂正符号が記録される複数のリンキング領域がユーザデータ領域に記録されるデータから識別されることを特徴とする請求項１記載の光ディスク。
【請求項６】
ユーザデータ領域の先頭に記録される同期パターンと異なる同期パターンがリンキング領域の先頭に記録されていることを特徴とする請求項１記載の光ディスク。
【請求項７】
ユーザデータ領域内のデータ記録領域と、リンキング領域内のデータ記録領域とが同じ長さであることを特徴とする請求項１記載の光ディスク。
【請求項８】
複数のユーザデータ領域の間に配置されている複数のリンキング領域を検出する領域検出手段と、上記領域検出手段により検出された複数のリンキング領域から保存対象情報の分割情報又は誤り訂正符号を取り出し、その誤り訂正符号を用いて分割情報の誤り訂正を実施する誤り訂正手段と、上記誤り訂正手段により誤り訂正が実施された分割情報から保存対象情報を再生する再生手段とを備えた光ディスク再生装置。
【請求項９】
誤り訂正手段は、リンキング領域から取り出した保存対象情報の分割情報が複数の小情報と、その小情報の誤り訂正符号とから構成されている場合、その誤り訂正符号を用いて小情報の誤り訂正を実施することを特徴とする請求項８記載の光ディスク再生装置。
【請求項１０】
誤り訂正手段は、保存対象情報の分割情報及び誤り訂正符号がスクランブルを施されている場合、そのスクランブルを解除することを特徴とする請求項８または請求項９記載の光ディスク再生装置。
【請求項１１】
誤り訂正手段は、保存対象情報の分割情報及び誤り訂正符号にかけられているスクランブルデータをユーザデータ領域に記録されているデータに基づいて生成することを特徴とする請求項１０記載の光ディスク再生装置。
【請求項１２】
領域検出手段は、保存対象情報の分割情報と誤り訂正符号が記録されている複数のリンキング領域をユーザデータ領域に記録されているデータから識別することを特徴とする請求項８記載の光ディスク再生装置。
【請求項１３】
誤り訂正手段は、ユーザデータ領域に記録されているデータの誤り訂正を実施してから、分割情報を構成する複数の小情報の誤り訂正を実施することを特徴とする請求項９記載の光ディスク再生装置。
【請求項１４】
誤り訂正手段は、小情報の誤り訂正を実施した結果、全ての誤りが訂正された場合、分割情報の誤り訂正処理を取り止めることを特徴とする請求項９記載の光ディスク再生装置。
【請求項１５】
誤り訂正手段は、小情報の誤り訂正を実施することが不可能な場合、分割情報に対して消失訂正を行うことを特徴とする請求項９記載の光ディスク再生装置。
【請求項１６】
誤り訂正手段は、領域検出手段により検出された複数のリンキング領域から保存対象情報の分割情報又は誤り訂正符号を同時に取り出して、その分割情報又は誤り訂正符号のシンドローム計算を実施することを特徴とする請求項８記載の光ディスク再生装置。
【請求項１７】
領域検出手段は、ユーザデータ領域の先頭に記録されている同期パターンと異なる同期パターンを検出して、リンキング領域の先頭を検出することを特徴とする請求項８記載の光ディスク再生装置。
【請求項１８】
誤り訂正手段は、ユーザデータ領域内のデータ記録領域と、リンキング領域内のデータ記録領域とからのデータ取り出し制御を共通化していることを特徴とする請求項８記載の光ディスク再生装置。
【請求項１９】
ユーザデータを分割して符号化するとともに、所定の保存対象情報を分割して符号化し、分割後の保存対象情報の誤り訂正符号を求める誤り訂正符号化手段と、上記誤り訂正符号化手段により符号化された分割後のユーザデータを複数のユーザデータ領域にそれぞれ記録するユーザデータ記録手段と、上記誤り訂正符号化手段により符号化された分割後の保存対象情報を上記複数のユーザデータ領域の間に存在する複数のリンキング領域にそれぞれ記録するとともに、分割後の保存対象情報の誤り訂正符号を上記複数のリンキング領域と異なる他のリンキング領域にそれぞれ記録する情報記録手段とを備えた光ディスク記録装置。
【請求項２０】
情報記録手段は、誤り訂正符号化手段が分割後の保存対象情報を更に分割し、分割後の情報である小情報を符号化して、その小情報の誤り訂正符号を求めると、その小情報と誤り訂正符号を同一のリンキング領域に記録することを特徴とする請求項１９記載の光ディスク記録装置。
【請求項２１】
情報記録手段は、保存対象情報の分割情報と誤り訂正符号にスクランブルを施してからリンキング領域に記録することを特徴とする請求項１９または請求項２０記載の光ディスク記録装置。
【請求項２２】
情報記録手段は、保存対象情報の分割情報と誤り訂正符号にかけるスクランブルデータを、ユーザデータ領域に記録するデータに基づいて生成することを特徴とする請求項２１記載の光ディスク記録装置。
【請求項２３】
情報記録手段は、保存対象情報の分割情報と誤り訂正符号を記録する複数のリンキング領域をユーザデータ領域に記録するデータから識別することを特徴とする請求項１９記載の光ディスク記録装置。
【請求項２４】
誤り訂正符号化手段は、分割後のユーザデータの符号化処理と同時に、小情報の符号化処理を実施することを特徴とする請求項２０記載の光ディスク記録装置。
【請求項２５】
誤り訂正符号化手段は、分割後の保存対象情報である複数の分割情報の誤り訂正符号を同時に求めることを特徴とする請求項１９記載の光ディスク記録装置。
【請求項２６】
情報記録手段は、ユーザデータ領域の先頭に記録する同期パターンと異なる同期パターンをリンキング領域の先頭に記録することを特徴とする請求項１９記載の光ディスク記録装置。
【請求項２７】
情報記録手段は、ユーザデータ領域内のデータ記録領域と同じ長さでリンキング領域内のデータ記録領域を記録することを特徴とする請求項１９記載の光ディスク記録装置。
【請求項２８】
情報記録手段は、ユーザデータ領域内のデータ記録領域と、リンキング領域内のデータ記録領域とに対するデータ記録制御を共通化していることを特徴とする請求項１９記載の光ディスク記録装置。
【請求項２９】
複数のユーザデータ領域の間に配置されている複数のリンキング領域を検出すると、複数のリンキング領域から保存対象情報の分割情報又は誤り訂正符号を取り出して、その誤り訂正符号を用いて分割情報の誤り訂正を実施し、誤り訂正後の分割情報から保存対象情報を再生する情報再生方法。
【請求項３０】
ユーザデータを分割して符号化するとともに、所定の保存対象情報を分割して符号化し、分割後の保存対象情報の誤り訂正符号を求めると、その符号化した分割後のユーザデータを複数のユーザデータ領域にそれぞれ記録する一方、その符号化した分割後の保存対象情報を上記複数のユーザデータ領域の間に存在する複数のリンキング領域にそれぞれ記録するとともに、分割後の保存対象情報の誤り訂正符号を上記複数のリンキング領域と異なる他のリンキング領域にそれぞれ記録する情報記録方法。
【請求項３１】
ユーザデータを分割して符号化するとともに、所定の保存対象情報を分割して符号化し、分割後の保存対象情報の誤り訂正符号を求める誤り訂正符号化手段と、上記誤り訂正符号化手段により符号化された分割後のユーザデータを初期化された光ディスクの複数のユーザデータ領域にそれぞれ記録するユーザデータ記録手段と、上記誤り訂正符号化手段により符号化された分割後の保存対象情報を上記複数のユーザデータ領域の間に存在する複数のリンキング領域にそれぞれ記録するとともに、分割後の保存対象情報の誤り訂正符号を上記複数のリンキング領域と異なる他のリンキング領域にそれぞれ記録する情報記録手段とを備えた光ディスク製造装置。
【発明の詳細な説明】
【０００１】
【発明の属する技術分野】
この発明は、リンキング領域に情報が記録される光ディスク、リンキング領域に記録されている情報を再生する光ディスク再生装置及び情報再生方法、リンキング領域に情報を記録する光ディスク記録装置、光ディスク製造装置及び情報記録方法に関するものである。
【０００２】
【従来の技術】
ＤＶＤ（Ｄｉｇｉｔａｌ  Ｖｅｒｓａｔｉｌｅ  Ｄｉｓｃ）に代表される光ディスク装置においては、情報の読み込みだけでなく、一回のみ情報の書き込みが可能なディスクや、繰り返し情報の書き込みが可能なディスクなど、ユーザーが記録可能なディスクが知られている。これら記録可能なディスクにおいては、以下の特許文献１に開示されているように、複数に分割されたデータサイズの大きいユーザデータ領域間の境界部にデータサイズの小さいリンキング領域を設け、既に書き込まれた記録データの領域に続いて、新たな別のデータを書き込む場合に、それに伴う再生時のタイミングずれをリンキング領域において吸収するようにしている。
【０００３】
また、以下の特許文献２に開示されているように、ユーザデータ領域間の未使用領域にユーザデータの再生に必要な情報を記録することが知られている。これは、記録可能な光ディスク、あるいは、読み出し専用の光ディスクにおいて、リンキング領域に対してユーザデータを記録し得ることを示している。
【０００４】
【特許文献１】
特開２００２−２６０３４１号公報（段落番号［００６７］から［００６８］、図１）、図５）
【特許文献２】
特開２０００−１１３４５３号公報（段落番号［００１３］から［００１５］、図１）
【０００５】
【発明が解決しようとする課題】
従来の光ディスクは以上のように構成されているので、リンキング領域に情報を記録することができるが、その記録情報に対するランダム誤りやバースト誤りなどの対策が施されていない課題があった。また、リンキング領域とユーザデータ領域を明確に区別することができない課題もあった。
【０００６】
この発明は上記のような課題を解決するためになされたもので、リンキング領域に記録される情報の誤り訂正を実施することが可能であり、また、リンキング領域とユーザデータ領域が明確に区別されている光ディスクを得ることを目的とする。
また、この発明は、リンキング領域に記録されている情報の誤り訂正を実施することができる光ディスク再生装置及び情報再生方法を得ることを目的とする。
さらに、この発明は、リンキング領域に記録される情報の誤り訂正を実施することが可能であり、また、リンキング領域とユーザデータ領域が明確に区別されている光ディスクを提供することができる光ディスク記録装置、光ディスク製造装置及び情報記録方法を得ることを目的とする。
【０００７】
【課題を解決するための手段】
この発明に係る光ディスクは、分割された保存対象情報をそれぞれ記録している複数のリンキング領域と異なる他のリンキング領域に、その分割された保存対象情報の誤り訂正符号をそれぞれ記録するようにしたものである。
【０００８】
【発明の実施の形態】
以下、この発明の実施の一形態を説明する。
実施の形態１．
図１はこの発明の実施の形態１による光ディスクを示す記録フォーマット図であり、図において、ユーザデータ領域１ａ〜１ｅは同期データ（Ｓｙｎｃ）３ａ〜３ｃを記録するＳｙｎｃ領域と、分割されたユーザデータ（Ｕｓｅｒ  ｄａｔａ）４ａ〜４ｃを記録するデータ記録領域とから構成されている。
リンキング領域２ａ〜２ｅはユーザデータ領域１ａ〜１ｅの間に配置され、ユーザデータ領域１ａ〜１ｅの同期データ３ａ〜３ｃとは異なる同期データ（Ｓｙｎｃ）５ａ〜５ｄを記録するＳｙｎｃ領域と、Ｉｎｆ６ａ〜６ｄを記録するデータ記録領域（分割された保存対象情報、あるいは、その分割された保存対象情報の誤り訂正符号を記録するデータ記録領域）とから構成されている。
【０００９】
図２はリンキング領域２ａ〜２ｅに対する記録処理を示す説明図であり、図において、保存対象情報１１は分割情報１２ａと分割情報１２ｂに２分割され、分割情報１２ａ，１２ｂはリンキング領域２ａ，２ｂに記録される。また、その分割情報１２ａ，１２ｂの誤り訂正符号（ＥＣＣ）１２ｃ，１２ｄはリンキング領域２ｃ，２ｄに記録される。
分割情報１２ａ，１２ｂは更に２分割され、例えば、分割情報１２ａは前半分の小情報１２ａ−１と、その小情報１２ａ−１の誤り訂正符号（ＥＣＣ）１２ａ−２と、後半分の小情報１２ａ−３と、その小情報１２ａ−３の誤り訂正符号（ＥＣＣ）１２ａ−４とから構成される。以下、小情報１２ａ−１，誤り訂正符号１２ａ−２，小情報１２ａ−３，誤り訂正符号１２ａ−４の系列を誤り訂正符号系列１３ａと称する。同様に、１３ｂ〜１３ｄも誤り訂正符号系列と称する。
【００１０】
スクランブルデータ１４ａ〜１４ｄはユーザデータ領域１ａ〜１ｄのデータ記録領域に記録されるユーザデータのうち、例えば、ＩＤやＩＤに相当する情報（例えば、クラスタ番号）に基づいて生成され、スクランブルデータ１４ａ〜１４ｄと誤り訂正符号系列１３ａ〜１３ｄの排他的論理和演算が実施される。その論理演算結果であるデータ系列１５ａ〜１５ｄはインタリーブがかけられてＩｎｆ６ａ〜６ｄが生成され、Ｉｎｆ６ａ〜６ｄはリンキング領域２ａ〜２ｅのデータ記録領域に記録される。なお、１６はデータ系列１５ａ〜１５ｄの中に挿入されたダミーデータである。
【００１１】
次に動作について説明する。
ユーザデータ領域１ａ〜１ｅの間に配置されているリンキング領域２ａ〜２ｅに、任意の情報である保存対象情報１１を記録する場合、バースト誤りが発生しても訂正することができるようにするため、その保存対象情報１１を分割して、その分割情報１２ａ，１２ｂと、その分割情報１２ａ，１２ｂの誤り訂正符号１２ｃ，１２ｄを別々のリンキング領域２ａ〜２ｅに記録する。
【００１２】
ここで、リンキング領域２ａ〜２ｅは、保存対象情報１１を記録する１つのブロックを構成するが、データ量が多く、かつ、強力な誤り訂正符号で保護が可能なユーザデータ領域１ａ〜１ｄのデータ記録領域に記録されるユーザデータ４ａ〜４ｃのうち、例えば、ＩＤやＩＤに相当する情報（例えば、クラスタ番号）を参照して、他の情報を記録する他のブロックと区分けを行うようにする。例えば、ブロックＡのＩＤの先頭には“Ａ”が付加され、ブロックＢのＩＤの先頭には“Ｂ”が付加されていれば、容易にブロックＡ，Ｂを識別することができる。
このように、ＩＤやＩＤに相当する情報に基づいてブロックを区分けすると、バースト誤りに強く、かつ、隣接するリンキング領域の状態をすぐに認識することができる。特に、複数のリンキング領域が２のｎ（ｎは正数）乗の場合、より制御が容易になる。
【００１３】
具体的には、次のようにして、保存対象情報１１をリンキング領域２ａ〜２ｅに記録する。
まず、保存対象情報１１を２分割して、その分割情報１２ａ，１２ｂを例えば複数のリードソロモン符号系列（以下、ＲＳ符号系列という）に符号化する。そして、その分割情報１２ａの誤り訂正符号１２ｃと、その分割情報１２ｂの誤り訂正符号１２ｄとを生成する。
【００１４】
次に、分割情報１２ａ，１２ｂ及び誤り訂正符号１２ｃ，１２ｄを更に分割して、各リンキング領域内で完結している誤り訂正符号系列１３ａ〜１３ｄを生成する。
例えば、分割情報１２ａに着目すると、その分割情報１２ａを小情報１２ａ−１と、小情報１２ａ−３とに２分割し、その小情報１２ａ−１，１２ａ−３を例えばＲＳ符号系列に符号化する。そして、その小情報１２ａ−１の誤り訂正符号１２ａ−２と、その分割情報１２ａ−３の誤り訂正符号１２ａ−４を生成することにより、誤り訂正符号系列１３ａを生成する。このとき、ランダム誤りに対する耐性を強化するため、複数の誤り訂正符号系列で構成してもよい。
【００１５】
次に、保存対象情報１１の再生時の安定化を図るため（例えば、変調データに固定パターンが続かないようにして、再生時の位相を安定させる）、その誤り訂正符号系列１３ａ〜１３ｄとスクランブルデータ１４ａ〜１４ｄの排他的論理和演算を実施して、その誤り訂正符号系列１３ａ〜１３ｄにスクランブルを施すようにする。
ここで、スクランブルデータ１４ａ〜１４ｄは、ある初期値を基にして、ＰＮ系列等によるランダム系列で生成するが、その初期値は、例えば、上述したＩＤやＩＤに相当する情報（例えば、クラスタ番号）を使用する。
【００１６】
なお、スクランブルは、誤り訂正符号系列に沿って、誤り訂正符号系列１３ａ〜１３ｄにスクランブルデータ１４ａ〜１４ｄをかけるが、一般的に情報が全て０である場合、誤り訂正符号系列１３ａ〜１３ｄも０となるので、誤り訂正符号の冗長部分を含めて、非零系列となるスクランブルデータ１４ａ〜１４ｄをかけた方がよい。また、１リンキング領域内に複数の誤り訂正符号系列１３ａ〜１３ｄがある場合は、符号の並び順にスクランブルをかけた方が、記録・再生を行う上で、リンキング領域内で完結した誤り訂正の符号化・復号時の処理が容易である。
【００１７】
また、誤り訂正前にデスクランブルを行うことにより、デスクランブルの初期値が誤っていた場合、デスクランブル処理は誤り付加となるので、１リンキング領域内において、複数の誤り訂正符号での訂正処理が訂正不可となり、デスクランブル異常を検出することができる。なお、一つのリンキング領域に記録する情報、あるいは、複数領域に渡る誤り訂正符号冗長データにスクランブルをかけてから、リンキング領域内で誤り訂正符号化することも可能である。ただし、この場合は、符号の情報部分のみにかけるための制御が必要となり、また、デスクランブル処理が正しい初期値か否かを確認する手段を必要とする。
【００１８】
上記のようにして、誤り訂正符号系列１３ａ〜１３ｄにスクランブルを施すと、ショートバースト誤りを強くするため、スクランブルデータ１４ａ〜１４ｄと誤り訂正符号系列１３ａ〜１３ｄの排他的論理和演算結果であるデータ系列１５ａ〜１５ｄにインタリーブをかけるようにする。
なお、インタリーブ系列間にダミーデータ１６を挿入するようにしてもよい。
即ち、ユーザデータ領域１ａ〜１ｄのデータ記録領域（ユーザデータ４ａ〜４ｃが記録される領域）と、リンキング領域２ａ〜２ｅのデータ記録領域（Ｉｎｆ６ａ〜６ｄが記録される領域）の長さを同じにするためにインタリーブ系列間にダミーデータ１６を挿入する。あるいは、ユーザデータ４ａ〜４ｃのうち、メインのユーザデータが記録されている位置にデータ系列１５ａ〜１５ｄを挿入して、ＩＤ等が記録される位置にダミーデータ１６を挿入する。これにより、ユーザデータ領域１ａ〜１ｄでのデータの記録、あるいは、取り込みにおいて制御の共通化が容易となる。
【００１９】
次に、データ系列１５ａ〜１５ｄにインタリーブがかけられてＩｎｆ６ａ〜６ｄが生成されると、Ｉｎｆ６ａ〜６ｄは、リンキング領域２ａ〜２ｅのデータ記録領域に記録される。
最後に、リンキング領域２ａ〜２ｅのＳｙｎｃ領域に、ユーザデータ領域１ａ〜１ｅの同期データ３ａ〜３ｃとは異なる同期データ５ａ〜５ｄを記録する。
ユーザデータ領域１ａ〜１ｅの同期データ３ａ〜３ｃと異なる同期データ５ａ〜５ｄをＳｙｎｃ領域に記録することにより、再生時にリンキング領域２ａ〜２ｅの位置を同期パターン５ａ〜５ｄから容易に認識することができる。
【００２０】
以上で明らかなように、この実施の形態１によれば、保存対象情報１１の分割情報１２ａ，１２ｂを記録しているリンキング領域２ａ，２ｂと異なる他のリンキング領域２ｃ，２ｄに、その分割情報１２ａ，１２ｂの誤り訂正符号１２ｃ，１２ｄを記録するように構成したので、リンキング領域２ａ，２ｂに記録される分割情報１２ａ，１２ｂの誤り訂正を実施することが可能になる効果を奏する。
【００２１】
なお、この実施の形態１では、リンキング領域２ａ〜２ｅに一つに同期パターン５ａ〜５ｄを記録しているが、一つのリンキング領域に同期パターン５ａ〜５ｄに続くＩｎｆ６ａ〜６ｄで構成されるフレームを複数記録してもよい。それに伴って、保存対象情報１１の各リンキング領域への分割とリンキング領域をまたがった誤り訂正符号の冗長度データの系列を同期パターン間隔に伴う分割としてもよい。特に、ユーザデータ４ａ〜４ｃ内の同期パターン間の長さと同じにするため、１リンキング領域に複数フレーム記録すると、前記と同様に、ユーザデータ領域１ａ〜１ｅでのデータの記録、あるいは、取り込みにおいて制御の共通化が容易となる。また、スクランブルについては１リンキング領域で１回の初期値設定としてもよいし、同期パターン検出毎に初期値を設定してもよい。
【００２２】
実施の形態２．
図３はこの発明の実施の形態２による光ディスク再生装置を示す構成図であり、図において、領域検出部２２は入力端子２１から光ディスクに記録されている信号が入力されると、その入力信号から同期パターン３ａ〜３ｃ又は同期パターン５ａ〜５ｄを検出して、ユーザデータ領域１ａ〜１ｅ又はリンキング領域２ａ〜２ｅを検出する領域検出手段を構成している。ユーザデータ記憶部２３は領域検出部２２により検出されたユーザデータ領域１ａ〜１ｅの記録内容を記憶し、リンキング領域記憶部２４は領域検出部２２により検出されたリンキング領域２ａ〜２ｅの記録内容を記憶する。ここでは、ユーザデータ記憶部２３とリンキング領域記憶部２４を別々に用意しているが、一つの記憶手段で領域を分けて、ユーザデータ領域１ａ〜１ｅ及びリンキング領域２ａ〜２ｅの記録内容を記憶してもよい。
【００２３】
誤り訂正部２５はユーザデータ記憶部２３に記憶されたユーザデータ領域１ａ〜１ｅの記録内容に対する誤り訂正を実施する。ＩＤ記憶部２６は誤り訂正部２５がユーザデータ４ａ〜４ｃに含まれているＩＤあるいはＩＤに相当する情報（例えば、クラスタ番号）の誤り訂正を実施すると、誤り訂正後のＩＤ等を記憶する。デスクランブル部２７はＩＤ記憶部２６に記憶されたＩＤあるいはＩＤに相当する情報を初期値とするランダム系列を生成してスクランブルデータを求め、そのスクランブルデータを用いて、誤り訂正後のユーザデータ４ａ〜４ｃのスクランブルを解除する。出力端子２８はスクランブルが解除された誤り訂正後のユーザデータ４ａ〜４ｃを出力する。
【００２４】
デスクランブル部２９はＩＤ記憶部２６に記憶されたＩＤあるいはＩＤに相当する情報を初期値とするランダム系列を生成してスクランブルデータ１４ａ〜１４ｄを求め、そのスクランブルデータ１４ａ〜１４ｄを用いて、リンキング領域記憶部２４に記憶されたリンキング領域２ａ〜２ｅの記録内容であるＩｎｆ６ａ〜６ｄのスクランブルを解除して誤り訂正符号系列１３ａ〜１３ｄをセレクタ３０に出力する。誤り訂正部３１はセレクタ３０から誤り訂正符号系列１３ａ〜１３ｄを受けると、その誤り訂正符号系列１３ａ〜１３ｄに対する誤り訂正を実施し、また、保存対象情報１１を構成する分割情報１２ａ，１２ｂに対する誤り訂正を実施する。さらに、誤り訂正後の分割情報１２ａ，１２ｂから保存対象情報１１を再生する。なお、誤り訂正部３１は誤り訂正手段及び再生手段を構成している。出力端子３２は誤り訂正部３１により再生された保存対象情報１１を出力する。
【００２５】
なお、領域検出部２２、デスクランブル部２７，２９、誤り訂正部２５，３１及びセレクタ３０は、専用のハードウエア（例えば、ＩＣ回路）を用いて構成してもよいが、これらの処理内容を記述したプログラムを用意し、図示せぬコンピュータが当該プログラムを実行するようにしてもよい。
図４はこの発明の実施の形態２による光ディスク再生装置の処理内容を示すフローチャートである。
【００２６】
次に動作について説明する。
まず、領域検出部２２は、入力端子２１から光ディスクに記録されている信号が入力されると、その入力信号から同期パターン３ａ〜３ｃ又は同期パターン５ａを検出する（ステップＳＴ１）。
領域検出部２２は、入力信号から同期パターン３ａ〜３ｃを検出すると、その同期パターン３ａ〜３ｃに続くデータがユーザデータ領域１ａに記録されているユーザデータ４ａ〜４ｃであると認識し（ステップＳＴ２）、ユーザデータ４ａ〜４ｃを取り込んでユーザデータ記憶部２３に格納する（ステップＳＴ３）。
一方、入力信号から同期パターン５ａを検出すると、その同期パターン５ａに続くデータがリンキング領域２ａに記録されているＩｎｆ６ａであると認識し（ステップＳＴ２）、そのＩｎｆ６ａを取り込んでリンキング領域記憶部２４に格納する（ステップＳＴ４）。なお、リンキング領域２ａ内に複数の同期情報が含まれている場合には、複数の同期情報に続くＩｎｆを取り込んでリンキング領域記憶部２４に格納する。
【００２７】
なお、同期パターン３ａ〜３ｃと同期パターン５ａは、上記実施の形態１で言及しているように、異なるパターンのデータであるため、両者の相違を容易に認識することができる。
また、ユーザデータ領域１ａ〜１ｅのデータ記録領域と、リンキング領域２ａ〜２ｅのデータ記録領域の長さが同じに設定されているので、ユーザデータ４ａ〜４ｃとＩｎｆ６ａの取り込み制御の共通化を図ることができる。
【００２８】
誤り訂正部２５は、領域検出部２２がユーザデータ４ａ〜４ｃを取り込んでユーザデータ記憶部２３に格納すると、そのユーザデータ４ａ〜４ｃに対する誤り訂正を実施する。
その際、ユーザデータ４ａ〜４ｃに含まれているＩＤあるいはＩＤに相当する情報（例えば、クラスタ番号）の誤り訂正を実施すると、誤り訂正後のＩＤ等をＩＤ記憶部２６に格納する。なお、ＩＤあるいはＩＤに相当する情報は、強力な誤り訂正符号で保護され、かつ、データ量の大きいユーザデータ４ａ〜４ｃのなかで、バースト誤りに強くなるように分散されて記録されているものとする。
【００２９】
デスクランブル部２７は、ＩＤ記憶部２６に記憶されたＩＤあるいはＩＤに相当する情報を初期値とするランダム系列を生成してスクランブルデータを求め、そのスクランブルデータを用いて、誤り訂正部２５による誤り訂正後のユーザデータ４ａ〜４ｃのスクランブルを解除する（ステップＳＴ５）。
スクランブルが解除された誤り訂正後のユーザデータ４ａ〜４ｃは、ユーザデータ記憶部２３に記憶され、また、出力端子２８から出力される。
なお、ユーザデータ４ａ〜４ｃが複数の誤り訂正符号でインタリーブがかけられている場合は、ユーザデータ記憶部２３の前後のどちらかで解除すればよい。また、ＩＤあるいはＩＤに相当する情報が、ユーザデータ４ａ〜４ｃと異なる誤り訂正符号で保護されている場合も、ユーザデータ記憶部２３の前後のどちらかで分離すればよい。このとき、誤り訂正部２５では、ＩＤあるいはＩＤに相当する情報に対する訂正処理をユーザデータ４ａ〜４ｃの訂正処理よりも先に実施する。
【００３０】
デスクランブル部２９は、誤り訂正後のユーザデータ４ａ〜４ｃのスクランブルが解除されると、ＩＤ記憶部２６に記憶されたＩＤあるいはＩＤに相当する情報を初期値とするランダム系列を生成してスクランブルデータ１４ａを求め、そのスクランブルデータ１４ａを用いて、リンキング領域記憶部２４に記憶されたリンキング領域２ａのＩｎｆ６ａのスクランブルを解除し、スクランブル解除後のＩｎｆ６ａである誤り訂正符号系列１３ａをセレクタ３０に出力する（ステップＳＴ６）。
なお、ＩＤあるいはＩＤに相当する情報は、ランダム・バーストに強い形で記録できるので、信頼性の高いデータを再生することができる。よって、デスクランブルも正しく処理される確率が高い。
【００３１】
誤り訂正部３１は、セレクタ３０から誤り訂正符号系列１３ａを受けると、その誤り訂正符号系列１３ａに対する誤り訂正を実施する（ステップＳＴ７）。即ち、誤り訂正符号系列１３ａの誤り訂正符号１２ａ−２を用いて、小情報１２ａ−１に対する誤り訂正を実施し、また、誤り訂正符号１２ａ−４を用いて、小情報１２ａ−３に対する誤り訂正を実施することにより、リンキング領域２ａ内で完結している誤り訂正処理を実施して、特にランダム誤りに対して強力に訂正する。
誤り訂正部３１は、誤り訂正結果である誤り訂正符号系列１３ａの分割情報１２ａ，１２ｂと誤り訂正符号１２ｃ，１２ｄをリンキング領域記憶部２４に格納するが、例えば、小情報１２ａ−１の誤り訂正を実施することが不可能であった場合には、訂正不可であったことを示す情報もリンキング領域記憶部２４に格納する。また、デスクランブル部２９によるスクランブルの解除が失敗していた場合には、誤りを付加した場合と同様となり、訂正不可となる可能性が高い。
なお、１リンキング領域内で完結している誤り訂正符号系列１３ａが複数の誤り訂正符号で構成されている場合、あるいは、誤り訂正符号がインタリーブ処理されていれば、それらをデインタリーブし、それぞれの誤り訂正処理を行う。このときデスクランブル部２９は、誤り訂正号系列毎にスクランブルの解除処理を実施してもよいし、一度に行ってもよい。
【００３２】
領域検出部２２は、誤り訂正部３１が誤り訂正符号系列１３ａに対する誤り訂正を実施すると、リンキング領域２ａ〜２ｅに記憶されている全てのＩｎｆ６ａ〜６ｄに係る誤り訂正符号系列１３ａ〜１３ｄについて誤り訂正処理が実施されたか否かを判定する（ステップＳＴ８）。即ち、ユーザデータ４ａ〜４ｃに含まれているＩＤなどを参照して、保存対象情報１１を記録するリンクングブロックの最後まで処理が完了したか否かを判定する。
この例では、リンキング領域２ａまでしか処理が完了していないので、ステップＳＴ１の処理に戻り、入力信号から同期パターン３ｂ，５ｂを検出して、同様の処理を繰り返し実行する（ステップＳＴ１〜ＳＴ８）。保存対象情報１１を記録するリンクングブロックの最後まで処理が完了すると、ステップＳＴ９の処理に移行する。
【００３３】
誤り訂正部３１は、上記のようにして、リンクングブロックの最後まで処理が完了すると、リンキング領域２ａ〜２ｅでの誤り訂正結果を照査し、誤り訂正符号系列１３ａ〜１３ｄを構成する小情報１２ａ−１，１２ａ−３及び誤り訂正符号１２ａ−２，１２ａ−４の全ての誤りが訂正されたか否かを判定する（ステップＳＴ９）。
誤り訂正部３１は、全ての誤りが訂正されたと判断する場合、下記の誤り訂正処理を実施することなく、一連の処理を終了する。ただし、上記の保存対象情報１１以外の情報が記録されている他のリンキングブロックが存在する場合には、同様の処理を繰り返し実施する。
【００３４】
誤り訂正部３１は、誤りが訂正されていない小情報等が残留していると判断する場合、保存対象情報１１を構成する分割情報１２ａ，１２ｂに対する誤り訂正を実施する（ステップＳＴ１０）。
例えば、誤り訂正符号系列１３ａを構成する小情報１２ａ−１や１２ａ−３の誤りが訂正されていない場合、誤り訂正符号系列１３ｃである誤り訂正符号１２ｃを用いて、誤り訂正符号系列１３ａである分割情報１２ａの誤りを訂正する。
ただし、保存対象情報１１を構成する分割情報１２ａ，１２ｂに対する誤り訂正を実施する際、小情報１２ａ−１や１２ａ−３の誤り訂正が不可であったことを示す情報がリンキング領域記憶部２４に格納されている場合、分割情報１２ａ，１２ｂに対して消失訂正を行うようにして、バースト誤りを強くする。
【００３５】
なお、上記判定の対象から誤り訂正符号１２ａ−２，１２ａ−４を除外してもよい。また、保存対象情報１１に誤り検出符号を付加し、その検出結果で判定を行ってもよい。これにより、複数のリンキング領域にまたがる誤り訂正符号の訂正処理を行わなくてもよいケースが発生するため、演算量を節約することができる。
また、訂正数が多い場合にも、訂正不可であると判定するようにしてもよい。この場合も、演算量を節約することができる。また、リンキング領域内にダミーデータ１６が挿入されている場合、訂正不可と同様に、ダミーデータ１６の誤り状況からバースト誤り状況を推定してもよい。
【００３６】
誤り訂正部３１は、分割情報１２ａ，１２ｂに対する誤り訂正が終了すると、誤り訂正後の分割情報１２ａ，１２ｂから保存対象情報１１を再生して、リンキング領域記憶部２４に記憶する。リンキング領域記憶部２４に記憶された保存対象情報１１は、出力端子３２から出力される。
【００３７】
以上で明らかなように、この実施の形態２によれば、領域検出部２２により検出されたリンキング領域２ａ〜２ｅから保存対象情報１１の分割情報又は誤り訂正符号を取り出し、その誤り訂正符号を用いて分割情報の誤り訂正を実施するように構成したので、リンキング領域２ａ〜２ｅに記録されている保存対象情報１１の誤り訂正を実施することができる効果を奏する。したがって、１あるいは複数のリンキング領域がバースト誤りとなっている場合でも訂正することができる。また、デスクランブルの初期値が誤っている場合でも、バースト誤りと同様にみなして訂正することができる。
【００３８】
上記の動作説明では特に言及していないが、誤り訂正部３１が領域検出部２２により検出されたリンキング領域２ａ〜２ｅから誤り訂正符号系列１３ａ〜１３ｄを同時に取り出して、誤り訂正符号系列１３ａ〜１３ｄのシンドローム計算、あるいは、誤り訂正処理を同時処理で行うようにしてもよい。
これにより、リンキング領域記憶部２４の記憶単位を複数シンボル単位でのアクセスのままで、符号系列変換が可能となり、アクセス数を減らすことができる効果を奏する。
【００３９】
なお、ユーザデータの誤り訂正符号とリンキング領域の誤り訂正符号とにおけるＲＳ符号での原始多項式や生成多項式等が共通であれば、それぞれの誤り訂正部２５，３１を一つの誤り訂正手段として容易に共通化を図ることができる。同様に、デスクランブル部２７，２９についても、そのスクランブルデータの生成規則が同じであれば、デスクランブル部２７，２９を一つのデスクランブル手段として容易に共通化を図ることができる。
【００４０】
実施の形態３．
図５はこの発明の実施の形態３による光ディスク記録装置を示す構成図であり、図において、ＩＤ記憶部４２は入力端子４１より入力されたＩＤあるいはＩＤに相当する情報（例えば、クラスタ番号）を記憶する。ユーザデータ記憶部４４は入力端子４３より入力されたユーザデータを分割して記憶する。スクランブル部４５はＩＤ記憶部４２に記憶されたＩＤあるいはＩＤに相当する情報に基づいてスクランブルデータを生成し、そのスクランブルデータを用いて分割されたユーザデータにスクランブルを施す。誤り訂正符号化部４６はスクランブル部４５によりスクランブルが施されたユーザデータを符号化するとともに、ＩＤ記憶部４２に記憶されたＩＤあるいはＩＤに相当する情報を符号化し、符号化後のユーザデータ４ａ〜４ｃとＩＤ等をユーザデータ領域１ａ〜１ｅに記録する。なお、スクランブル部４５及び誤り訂正符号化部４６は誤り訂正符号化手段を構成し、誤り訂正符号化部４６及びユーザデータ記憶部４４はユーザデータ記録手段を構成している。
【００４１】
リンキング領域記憶部４８は入力端子４７より入力された保存対象情報１１を分割して記憶する。誤り訂正符号化部４９はリンキング領域記憶部４８に記憶された分割後の保存対象情報１１である分割情報１２ａ，１２ｂを符号化し、その分割情報１２ａ，１２ｂの誤り訂正符号１２ｃ，１２ｄを求める。また、分割後の保存対象情報１１を更に分割し、分割後の情報である小情報１２ａ−１，１２ａ−３を符号化して、その小情報１２ａ−１，１２ａ−３の誤り訂正符号１２ａ−２，１２ａ−４を求める。なお、誤り訂正符号化部４９は誤り訂正符号化手段を構成している。
【００４２】
スクランブル部５０はＩＤ記憶部４２に記憶されたＩＤあるいはＩＤに相当する情報に基づいてスクランブルデータ１４ａ〜１４ｄを生成し、そのスクランブルデータ１４ａ〜１４ｄを用いて誤り訂正符号系列１３ａ〜１３ｄにスクランブルを施し、スクランブル後の誤り訂正符号系列１３ａ〜１３ｄであるデータ系列１５ａ〜１５ｄにインタリーブをかけてＩｎｆ６ａ〜６ｄを生成し、そのＩｎｆ６ａ〜６ｄをリンキング領域２ａ〜２ｄに記録する。なお、スクランブル部５０及びリンキング領域記憶部４８は情報記録手段を構成している。
【００４３】
同期付加部５２はユーザデータ領域１ａ〜１ｅに記録された符号化後のユーザデータ４ａ〜４ｃの前に同期データ３ａ〜３ｃを付加するとともに、リンキング領域２ａ〜２ｄに記録されたＩｎｆ６ａ〜６ｄの前に同期データ５ａ〜５ｄを付加する。
なお、スクランブル部４５，５０、誤り訂正符号化部４６，４９、セレクタ５１及び同期付加部５２は、専用のハードウエア（例えば、ＩＣ回路）を用いて構成してもよいが、これらの処理内容を記述したプログラムを用意し、図示せぬコンピュータが当該プログラムを実行するようにしてもよい。
図６はこの発明の実施の形態３による光ディスク記録装置の処理内容を示すフローチャートである。
【００４４】
次に動作について説明する。
まず、ＩＤ記憶部４２は、入力端子４１からＩＤあるいはＩＤに相当する情報（例えば、クラスタ番号）が入力されると、そのＩＤあるいはＩＤに相当する情報を記憶する。
ユーザデータ記憶部４４は、入力端子４３からユーザデータが入力されると、そのユーザデータを分割して記憶する。
【００４５】
スクランブル部４５は、ＩＤ記憶部４２に記憶されたＩＤあるいはＩＤに相当する情報のうち、ユーザデータ領域１ａに対応するＩＤあるいはＩＤに相当する情報（＝リンキングブロックの先頭を示すＩＤ）を取り出し（ステップＳＴ２１）、そのＩＤあるいはＩＤに相当する情報に基づいてスクランブルデータを生成し、そのスクランブルデータを用いてユーザデータ４ａ〜４ｃにスクランブルをかける。
ここで、スクランブルデータは、ある初期値を基にして、ＰＮ系列等によるランダム系列で生成するが、その初期値としてＩＤやＩＤに相当する情報を使用する。
【００４６】
誤り訂正符号化部４６は、スクランブル部４５がユーザデータ４ａ〜４ｃにスクランブルを施すと、そのユーザデータ４ａ〜４ｃを符号化するとともに、そのＩＤあるいはＩＤに相当する情報を符号化し、符号化後のユーザデータ４ａ〜４ｃと符号化後のＩＤあるいはＩＤに相当する情報をユーザデータ領域１ａに記録する。
同期付加部５２は、ユーザデータ領域１ａに記録された符号化後のユーザデータ４ａ〜４ｃの前に同期データ３ａ〜３ｃを付加して、出力端子５３から出力する（ステップＳＴ２２）。
【００４７】
リンキング領域記憶部４８は、入力端子４７から保存対象情報１１が入力されると、その保存対象情報１１を分割して記憶する。
誤り訂正符号化部４９は、ＩＤ記憶部４２からスクランブル部４５と同じＩＤあるいはＩＤに相当する情報を取り出すが、そのＩＤあるいはＩＤに相当する情報がリンキングブロックの先頭を示すＩＤあるいはＩＤに相当する情報であれば（ステップＳＴ２３）、リンキング領域記憶部４８に記憶された分割後の保存対象情報１１である分割情報１２ａ，１２ｂを符号化し、その分割情報１２ａ，１２ｂの誤り訂正符号１２ｃ，１２ｄを求める（ステップＳＴ２４）。
このとき、複数のリンキング領域２ａ〜２ｄの誤り訂正符号が完結する範囲を２のｎ（ｎは正数）乗のとし、ＩＤあるいはそれに相当する情報に合わせると制御が容易である。
【００４８】
次に、誤り訂正符号化部４９は、そのＩＤあるいはＩＤに相当する情報がユーザデータ領域１ａに対応するＩＤあるいはＩＤに相当する情報であるので、分割情報１２ａを更に分割する。因みに、ユーザデータ領域１ｂに対応する場合には分割情報１２ｂを分割し、ユーザデータ領域１ｃに対応する場合には誤り訂正符号１２ｃを分割し、ユーザデータ領域１ｄに対応する場合には誤り訂正符号１２ｄを分割する。
そして、誤り訂正符号化部４９は、分割後の情報である小情報１２ａ−１，１２ａ−３を符号化して、その小情報１２ａ−１，１２ａ−３の誤り訂正符号１２ａ−２，１２ａ−４を求める（ステップＳＴ２５）。
なお、誤り訂正符号化部４９は、符号化後の小情報１２ａ−１，１２ａ−３と誤り訂正符号１２ａ−２，１２ａ−４からなる誤り訂正符号系列１３ａをスクランブル部５０に出力する
【００４９】
スクランブル部５０は、誤り訂正符号化部４９から誤り訂正符号系列１３ａを受けると、そのＩＤあるいはＩＤに相当する情報に基づいてスクランブルデータ１４ａを生成し、そのスクランブルデータ１４ａを用いて、誤り訂正符号系列１３ａにスクランブルをかける（ステップＳＴ２６）。
ここで、スクランブルデータ１４ａは、ある初期値を基にして、ＰＮ系列等によるランダム系列で生成するが、その初期値としてＩＤやＩＤに相当する情報を使用する。
【００５０】
スクランブル部５０は、スクランブル後の誤り訂正符号系列１３ａであるデータ系列１５ａにインタリーブを施してＩｎｆ６ａを生成し、そのＩｎｆ６ａをリンキング領域２ａに記録する。
即ち、リンキング領域２ａ内で完結した誤り訂正符号が複数ある場合は（この例では、誤り訂正符号１２ａ−２と誤り訂正符号１２ａ−４がある）、１リンキング領域内でインタリーブ処理を実施し、また、インタリーブ系列の間にダミーデータ１６を挿入する（ステップＳＴ２７）。これにより、ユーザデータ領域１ａのデータ記録領域と同じ長さでリンキング領域２ａのデータ記録領域を記録することができる。この場合、ユーザデータ領域１ａのデータ記録領域とリンキング領域２ａのデータ記録領域とに対するデータ記録制御の共通化を容易に図ることができる。
【００５１】
同期付加部５２は、リンキング領域２ａに記録されたＩｎｆ６ａの前に、ユーザデータ４ａ〜４ｃの同期データ３ａ〜３ｃと異なる同期データ５ａを付加して、出力端子５３から出力する（ステップＳＴ２８）。これにより、再生時にユーザデータ領域１ａとリンキング領域２ａを容易に区別することができる。
これにより、出力端子５３からユーザデータ領域１ａとリンキング領域２ａが出力され、ステップＳＴ２１に戻って同様の処理が繰り返されるが、ユーザデータ領域１ｂ〜１ｅとリンキング領域２ｂ〜２ｅが出力されると、一連の処理を終了する。
【００５２】
以上で明らかなように、この実施の形態３によれば、誤り訂正符号化部４９により符号化された分割情報１２ａ，１２ｂをリンキング領域２ａ，２ｂに記録するとともに、その分割情報１２ａ，１２ｂの誤り訂正符号１２ｃ，１２ｄをリンキング領域２ｃ，２ｄに記録するように構成したので、リンキング領域２ａ〜２ｅに記録される保存対象情報１１の誤り訂正を実施することが可能であり、また、リンキング領域２ａ〜２ｅとユーザデータ領域１ａ〜１ｅが明確に区別されている光ディスクを提供することができる効果を奏する。
【００５３】
上記の動作説明では特に言及していないが、リンキング領域記憶部４８と誤り訂正符号化部４９とのアクセスを複数シンボルの同時アクセスとし、１リンキング領域内で完結している誤り訂正符号の符号化処理において、時系列的に複数取り込んでアクセスする場合、複数のリンキング領域における誤り訂正処理での誤り訂正符号化部４９の取り込み、あるいは、リンキング領域記憶部４８への書き込みを複数の誤り訂正符号系列を同時に取り込み、符号化処理を同時処理で行うようにする。これにより、リンキング領域記憶部４８の記憶単位を複数シンボル単位でのアクセスのままで、符号系列変換が可能となり、アクセス数を減らすことができる。
【００５４】
実施の形態４．
図７はこの発明の実施の形態４による光ディスク製造装置を示す構成図であり、図において、図５と同一符号は同一または相当部分を示すので説明を省略する。フレーム生成部６１は図５のスクランブル部４５，５０、誤り訂正符号化部４６，４９、セレクタ５１、ＩＤ記憶部４２及び同期付加部５２の機能を有し、フレームデータ記憶部６２は図５のユーザデータ記憶部４４及びリンクング領域記憶部４８の機能を有している。
ディスク製造部６４は初期化された光ディスク６３にフレームデータ記憶部６２の記憶内容を記録し、記録された光ディスク６５を出力する。
【００５５】
図７の光ディスク製造装置は、基本的には図５の光ディスク記録装置と同様に動作するが、ディスク製造部６４が設けられているので、初期化された光ディスク６３を次々ディスク製造部６４に挿入すれば、同一記録内容の光ディスク６５を大量に製造することができる。
【００５６】
【発明の効果】
以上のように、この発明によれば、分割された保存対象情報をそれぞれ記録している複数のリンキング領域と異なる他のリンキング領域に、その分割された保存対象情報の誤り訂正符号をそれぞれ記録するように構成したので、リンキング領域に記録される保存対象情報の誤り訂正を実施することができる効果がある。
【図面の簡単な説明】
【図１】この発明の実施の形態１による光ディスクを示す記録フォーマット図である。
【図２】リンキング領域に対する記録処理を示す説明図である。
【図３】この発明の実施の形態２による光ディスク再生装置を示す構成図である。
【図４】この発明の実施の形態２による光ディスク再生装置の処理内容を示すフローチャートである。
【図５】この発明の実施の形態３による光ディスク記録装置を示す構成図である。
【図６】この発明の実施の形態３による光ディスク記録装置の処理内容を示すフローチャートである。
【図７】この発明の実施の形態４による光ディスク製造装置を示す構成図である。
【符号の説明】
１ａ〜１ｅ  ユーザデータ領域、２ａ〜２ｅ  リンキング領域、３ａ〜３ｃ  同期データ、４ａ〜４ｃ  ユーザデータ、５ａ〜５ｄ  同期データ、６ａ〜６ｄＩｎｆ、１１  保存対象情報、１２ａ，１２ｂ  分割情報、１２ｃ，１２ｄ  誤り訂正符号、１２ａ−１，１２ａ−３  小情報、１２ａ−２，１２ａ−４  誤り訂正符号、１３ａ〜１３ｄ  誤り訂正符号系列、１４ａ〜１４ｄ  スクランブルデータ、１５ａ〜１５ｄ  データ系列、１６  ダミーデータ、２１  入力端子、２２  領域検出部（領域検出手段）、２３  ユーザデータ記憶部、２４  リンキング領域記憶部、２５  誤り訂正部、２６  ＩＤ記憶部、２７  デスクランブル部、２８  出力端子、２９  デスクランブル部、３０  セレクタ、３１  誤り訂正部（誤り訂正手段、再生手段）、３２  出力端子、４１  入力端子、４２  ＩＤ記憶部、４３  入力端子、４４  ユーザデータ記憶部（ユーザデータ記録手段）、４５  スクランブル部（誤り訂正符号化手段）、４６  誤り訂正符号化部（誤り訂正符号化手段、ユーザデータ記録手段）、４７  入力端子、４８  リンキング領域記憶部（情報記録手段）、４９  誤り訂正符号化部（誤り訂正符号化手段）、５０  スクランブル部（情報記録手段）、５１  セレクタ、５２  同期付加部、５３  出力端子。
【図１】
2004342199.tif 000003
【図２】
2004342199.tif 000004
【図３】
2004342199.tif 000005
【図４】
2004342199.tif 000006
【図５】
2004342199.tif 000007
【図６】
2004342199.tif 000008
【図７】
2004342199.tif 000009